(57)【要約】【課題】  本発明はメモホルダーにおいて、紙の種類が違っても安定した押圧力で挟み、かつその狭持手段の狭持動作と被狭持物の着脱が片手で行えるようにする。【解決手段】  対面する狭持手段の間に狭持片を設け、挿入された被狭持物と狭持片を狭着させた摩擦抵抗により、狭持片を被狭持物と連動させ挿入方向に移動させる。その際、挿入口方向に向かって狭くなった狭持手段を押し広げさせることにより安定した狭持力を得られる様にした。【選択図】      図１
2006305970.tif 000002
【特許請求の範囲】
【請求項１】
本発明において、一対の狭持手段（１）の間に移動可能な狭持片（3）が設けてあり  挿入された被狭持物（６）は狭持片（3）と接触しながら狭持片（３）を狭持手段（２）とが離間するまで移動させる。さらに離間した間を被狭持物（６）はおくへ進み  狭持手段を構成するばね部（１ｃ）に到達し停止する。ここではまだ狭持片（３）は被狭持物と接触しているだけであるが  被狭持物（６）を挿入方向へ引き戻すと狭持片（３）が摩擦により被狭持物（６）と連動し挿入方向に移動する。この時  狭持手段（１）に設けた狭持片押圧傾斜角度（1a）により  狭持片（３）が狭持手段（１）をひろげ  被保持物（６）を狭持することを特徴としたメモホルダー。
【請求項２】
被狭持物（６）を外した後  狭持手段（１）より狭持片（３）にかかる圧力を解除するために狭持手段（２）に狭持片突起部逃がし溝（５）を設けてあり  被狭持物（６）を外したあと  前記逃がし溝（５）が開口し  狭持片突起部（3a）が入り込むことにより狭持片（３）にかかる圧力を  解除することを特徴としたメモホルダー
【発明の詳細な説明】
【技術分野】
【０００１】
この発明は、メモ用紙やその他の大きさの用紙を、一時的に片手動作で着脱できるメモホルダーに関するものである。
【背景技術】
【０００２】
従来の片手で着脱できるメモホルダーにおいて、マグネットで上から用紙を押さえるものや、金属球で狭持するもの、ひげ状突起物の弾力と摩擦によって保持するものがあった。
【特許文献１】実開平５−７２４７３号公報
【発明の開示】
【発明が解決しようとする課題】
【０００３】
従来の技術では、次のような欠点があった。マグネットで押さえつけるものは両手動作を必要とし、また金属球を用いて弾圧するものは用紙を取り出す際に狭持力を弱めるための狭持手段を解除する動作が必要になる。また、ヒゲ状の突起物の摩擦力等によるものにおいては、厚い用紙を挿入すると、突起の摩擦力回復に時間がかかり、保持力が安定しない問題がある。
【課題を解決するための手段】
【０００４】
本発明は、略平板状の金属部材を折り曲げ構成された対面する狭持手段の間に移動が可能な狭持片を設け、被狭持物を挿入する時は前記狭持片が被狭持物よりに移動しながら挿入口を開口し、容易に挿入できるが、抜く時に前記狭持片が被狭持物と連動し、狭持手段を広げながら移動し被狭持物を押圧する。また、被狭持物を抜き取った後、狭持片にかかる。押圧力を解除し、狭持手段に挟まった狭持片を自在にするため、狭持片の突起部を逃がすための溝を設け、溝を覆う被狭持物が無くなると前記狭持片の突起部が溝に入り込むことにより押圧力を解除し狭持片が自在になる。
【発明の効果】
【０００５】
上記説明で明らかなように、本発明は、狭持手段の間にある移動可能な狭持片により金属球クリップと同じ様に挿入し易くかつ、ワンタッチでありながら、クリップ狭持手段の開閉動作を可能にしたメモホルダーである。また、狭持片の突起部逃がし溝により狭持手段に挟まった前記狭持片は、被狭持物が外されると狭持手段の押圧力を解除し自在になり、本発明のクリップは、被狭持物の繰り返し狭持動作が可能となる。
【発明を実施するための最良の形態】
【０００６】
本発明の被狭持物の挿入は、狭持手段の挿入口を滑り、狭持片を移動させながら通り進み、狭持手段の連結部に到達し挿入が完了する。この状態では、狭持片は自重による押圧だけで被狭持物を保持するだけの押圧はしていない。しかし、被狭持物を引くと、自重により発生した摩擦により、前記狭持片が被保持物と連動し挿入口に向かって移動する。その際狭持片は、狭持手段に設けられた狭持片押圧傾斜角度により、狭持手段を押し広げながら移動して被狭持物を押圧する。やがて、狭持片は狭持片停止壁に到達し移動を停止する。この時に被狭持物は、狭持片よる押圧と摩擦力により安定した保持ができる。
【０００７】
非狭持物を外した後は、狭持手段に挟まった狭持片から押圧力を解除し、前記狭持片を自在にするための狭持片突起部逃がし溝が設けてある。この溝は挿入された被狭持物に覆われており、被狭持物が引き抜かれることにより開口し、狭持片に設けてある突起部が溝の中に入り込み、押圧力を解除し、狭持片は自在となり、繰り返し狭持物の抜き差しだけで狭持操作が可能となる
【実施例１】
【０００８】
実施例について図面を参照して説明すると、１図は、本発明のメモホルダーの実施例１の外観斜視図であり、被狭持物（６）は厚板部（２ａ）をすべり狭持片（３）を移動させながら通り進み、ばね部（１ｃ）に到達する。この時、狭持片（３）は被狭持物（６）を挟む。被狭持物（６）を引き抜くと狭持片（３）が連動しながら、
かつ狭持手段（１）を押し広げながら狭持片停止壁部（１ｂ）まで移動し被狭持物（６）を保持するために必要な押圧力を狭持手段（１）より受けて、狭持動作を完了する。被狭持物を取り出す場合は、被狭持物（６）を引き抜くと、被狭持物（６）で遮られていた狭持片突起部逃がし溝（５）が開口しに狭持片（３）に設けてある狭持片突起部（3a）が入りこみ押し広げていた狭持手段（１）を閉じて自在となり、被狭持物の再狭持動作が可能になる。
【０００９】
図２は、実施例１を示すもので、図１に示したメモホルダーに、下方から被狭持物（６）を挿入した際に狭持片（３）を押上げながら進みばね部（１ｃ）に到達した本発明の側面からの断面図である。
【００１０】
図３は、実施例１の狭持動作で、被狭持物（６）を下方に引き、狭持手段（１）を押し広げながら狭持片（３）で狭持した状態を示す側面断面図である。
【００１１】
図４は、実施例１の被狭持物（６）を取り外した状態で、被狭持物（６）で遮られていた狭持片突起部逃がし溝（５）が開口し狭持片（３）の狭持片突起部（３ａ）が入りこみ押し広げていた狭持手段（１）を閉じ狭持片（３）が自在になった状態を示す側面断面図である。
【実施例２】
【００１２】
図５は、実施例２を示すもので、メモホルダー本体を薄型かつ製作費用を削減された例で、また、平面でも狭持片での狭持動作が可能なように、狭持片（３）を狭持手段（１）に取り付けてあり、狭持片押圧傾斜角により平面でも狭持片（３）が、狭持手段（１）すべり挿入口方向へ移動し、被狭持物（６）を狭持するようした。また、狭持片（３）を略平板状の金属部材で構成しさらに、狭持片突起部逃がし溝（５）を狭持手段（２）に直接設け、本体を薄型、かつ、安価に構成したものである。
【００１３】
図６は、実施例２の狭持片（３）の動作を示す側面図である。挿入口にある狭持片（３）を被狭持物（６）が移動させながら滑り込み、狭持片（３）で狭着し被狭持物（６）を引き抜くと連動して狭持片（３）が狭持手段（１）を広げながら、狭持する。また狭持手段（２）に離着板（７）を設け壁面などに固定して使用する。離着板は、両面テープ、マグネットなど任意とした。
【図面の簡単な説明】
【００１４】
【図１】本発明の実施例１を示す斜視図である。
【図２】実施例１の断面図で
【００１５】
を示した断面図である。
【図３】実施例１の断面図で
【００１６】
を示した断面図である。
【図４】実施例１の断面図で
【００１７】
を示した断面図である。
【図５】本発明の実施例２を示す斜視図である。
【図６】実施例２の側面図で
【００１８】
を示した断面図である。
【符号の説明】
【００１９】
１    狭持手段
１ａ  狭持片押圧傾斜角
１ｂ  狭持片停止壁部
１ｃ  ばね部
２    狭持手段
２ａ  厚板部
３    狭持片
３ａ  狭持片突起部
４    側板
５    狭持片突起部逃がし溝
６    被狭持物
７    離着板
【図１】
2006305970.tif 000003
【図２】
2006305970.tif 000004
【図３】
2006305970.tif 000005
【図４】
2006305970.tif 000006
【図５】
2006305970.tif 000007
【図６】
2006305970.tif 000008